(57)【要約】【課題】低遅延で、拡張性及び信頼性が高く、低消費電力化を図ることができる多重化装置を提供する。【解決手段】動画像を符号化する動画像符号化部と、複数のデータを多重化する多重化部とを備える複数の符号化装置がバス接続された多重化装置であって、符号化装置のうち、少なくとも１つの符号化装置の多重化部は、その他の符号化装置の動画像符号化部が符号化した動画像ストリームと、自ら動画像を符号化した動画像ストリームと、音声ストリームと、付加データストリームとを多重化した多重化ストリームを多重化装置の出力として出力する。【選択図】図２
2016025534.tif 000002
【特許請求の範囲】
【請求項１】
動画像を符号化する動画像符号化部と、複数のデータを多重化する多重化部とを備える複数の符号化装置がバス接続された多重化装置であって、
前記符号化装置のうち、少なくとも１つの前記符号化装置の前記多重化部は、その他の前記符号化装置の前記動画像符号化部が符号化した動画像ストリームと、自ら前記動画像を符号化した動画像ストリームと、音声ストリームと、付加データストリームとを多重化した多重化ストリームを前記多重化装置の出力として出力することを特徴とする多重化装置。
【請求項２】
前記符号化装置それぞれの前記動画像符号化部に入力する前記動画像は、一つの動画像を分割した動画像のうち、少なくとも１つの動画像であることを特徴とする請求項１に記載の多重化装置。
【請求項３】
前記符号化装置のうち、２つの前記符号化装置の前記多重化部が異なる前記多重化ストリームを前記多重化装置の出力として出力し、
前記多重化ストリームは、ＭＰＥＧ２−ＴＳフォーマット、またはＭＭＴフォーマットであることを特徴とする請求項１に記載の多重化装置。
【請求項４】
前記多重化装置の出力が４Ｋ配信の前記多重化ストリームである否かを決定する配信モード決定部を更に備え、
前記４Ｋ配信の前記多重化ストリームに決定された際には、前記符号化装置のうち、少なくとも１つの前記符号化装置の前記多重化部が、自ら前記動画像を符号化した動画像ストリームと、前記音声ストリームと、前記付加データストリームのみを多重化した前記多重化ストリームを前記多重化装置の出力として出力することを特徴とする請求項１に記載の多重化装置。
【発明の詳細な説明】
【技術分野】
【０００１】
本発明は、動画像、音声及び付加データを多重化して出力する符号化装置を複数用いて構成される多重化装置に関する。
【背景技術】
【０００２】
動画を圧縮する技術および多重化する技術はＩＴＵ−ＴおよびＭＰＥＧ（Moving Picture Expert Group）ＷＧという団体で標準化が行われている。動画を圧縮する技術では従来圧縮技術の２倍の性能を目標にＨ．２６５／ＨＥＶＣの標準化が完了し、ＬＳＩ化および４Ｋ映像、８Ｋ映像に対応した符号化装置の出現が見込まれる。
【０００３】
多重化技術はＭＰＥＧ２−ＴＳ（Transport Stream）が長年フォーマットの中心であったが、近い将来にはインターネットとの連携を考慮したＭＭＴ（Mpeg Media Transport）およびＭＰＥＧ−ＤＡＳＨ（Dynamic Adaptive Streaming over HTTP）の対応が必要となることも予想される。符号化装置はＬＳＩ（Large Scale Integration）のような単一構成なものを大量に製造した方が安価になる。しかし、４Ｋ映像に対応した動画像圧縮機能を有したＬＳＩが開発されても例えば８Ｋ映像のようなさらに大規模な動画像の対応および多様なメディアトランス層のフォーマットに対応するためには複数の符号化装置を組み合わせて接続する必要がある。
【０００４】
複数の符号化装置を組み合わせて接続する方法は、特許文献１に開示されている技術がある。図１２は、従来技術による複数の符号化装置を組み合わせて接続する構成を示す図である（特開２００３−３３３５５１号公報の図２を引用）。図１２に示すように、チャネル１の符号化装置から出力する転送パケットは、チャネル２の符号化装置に入力し多重化され、その出力はチャネルｎ−１（ｎは自然数）の符号化装置に入力し多重化され、その出力はチャネルｎの符号化装置に入力して多重化される。そして、チャネルｎの符号化装置は、最終的に多重ストリームを出力する。このように、複数の符号化装置を組み合わせて接続する際には、図１２に示すように符号化装置間を数珠つなぎに直列に接続するデイジーチェーン接続の構成が一般的である。また、複数の符号化装置を組み合わせた装置全体の動作を制御するために、１つのＣＰＵ（Central Processing Unit）が設けられて一元的制御が行われるのが主流である。
【先行技術文献】
【特許文献】
【０００５】
【特許文献１】特開２００３−３３３５５１号公報
【発明の概要】
【発明が解決しようとする課題】
【０００６】
しかしながら、特許文献１に記載の複数の符号化装置を組み合わせてデイジーチェーン接続した構成にあっては、各符号化装置を順に転送するために遅延が大きくなってしまう。また、符号化装置の多重化部において他の多重化方式に対応するとさらに遅延が大きくなってしまう。また、複数の符号化装置を連続させて接続して使用するため、途中の装置が故障した場合の対処法がないという問題がある。さらに、複数の符号化装置を経由して映像が伝送されるので、不用な装置を停止することができず消費電力が増加してしまうという問題もある。
【０００７】
本発明は、このような事情に鑑みてなされたもので、低遅延で、拡張性及び信頼性が高く、低消費電力化を図ることができる多重化装置を提供することを目的とする。
【課題を解決するための手段】
【０００８】
本発明は、動画像を符号化する動画像符号化部と、複数のデータを多重化する多重化部とを備える複数の符号化装置がバス接続された多重化装置であって、前記符号化装置のうち、少なくとも１つの前記符号化装置の前記多重化部は、その他の前記符号化装置の前記動画像符号化部が符号化した動画像ストリームと、自ら前記動画像を符号化した動画像ストリームと、音声ストリームと、付加データストリームとを多重化した多重化ストリームを前記多重化装置の出力として出力することを特徴とする。
【０００９】
本発明は、前記符号化装置それぞれの前記動画像符号化部に入力する前記動画像は、一つの動画像を分割した動画像のうち、少なくとも１つの動画像であることを特徴とする。
【００１０】
本発明は、前記符号化装置のうち、２つの前記符号化装置の前記多重化部が異なる前記多重化ストリームを前記多重化装置の出力として出力し、前記多重化ストリームは、ＭＰＥＧ２−ＴＳフォーマット、またはＭＭＴフォーマットであることを特徴とする。
【００１１】
本発明は、前記多重化装置の出力が４Ｋ配信の前記多重化ストリームである否かを決定する配信モード決定部を更に備え、前記４Ｋ配信の前記多重化ストリームに決定された際には、前記符号化装置のうち、少なくとも１つの前記符号化装置の前記多重化部が、自ら前記動画像を符号化した動画像ストリームと、前記音声ストリームと、前記付加データストリームのみを多重化した前記多重化ストリームを前記多重化装置の出力として出力することを特徴とする。
【発明の効果】
【００１２】
本発明によれば、複数の符号化装置をバスで接続することにより、並列動作が可能になるため、低遅延化でき、拡張性及び信頼性を高くすることができるともに、低消費電力化を図ることができるという効果が得られる。
【図面の簡単な説明】
【００１３】
【図１】本発明の第１実施形態の構成を示すブロック図である。
【図２】図１に示す符号化装置２０（符号化装置２０ａ、２０ｂ、２０ｃ、２０ｄ）の構成を示すブロック図である。
【図３】符号化された動画像ストリームの配信容量は入力される動画像の複雑度などにより変動する例を示す図である。
【図４】本発明の第２実施形態の構成を示すブロック図である。
【図５】本発明の第３実施形態の構成を示すブロック図である。
【図６】まだら放送時の配信動作を示すフローチャートである。
【図７】図６に示す処理動作によって配信された配信容量の時系列的変化の例を示す図である。
【図８】本発明の第５実施形態の構成を示すブロック図である。
【図９】アダプティブレートでの配信動作を示すフローチャートである。
【図１０】本発明の第６実施形態の構成を示すブロック図である。
【図１１】本発明の第７実施形態の構成を示すブロック図である。
【図１２】従来技術による複数の符号化装置を組み合わせて接続する構成を示す図である。
【発明を実施するための形態】
【００１４】
＜第１実施形態＞
以下、図面を参照して、本発明の第１実施形態による多重化装置を説明する。図１は同実施形態の構成を示すブロック図である。この図において、符号１０は、動画像、音声、付加データを入力して、これらを多重化して多重ストリームを出力する多重化装置である。符号２０ａ、２０ｂ、２０ｃは、動画像を入力し、この動画像を符号化して出力する符号化装置である。符号２０ｄは、動画像、音声、付加データ及び他の符号化装置２０ａ、２０ｂ、２０ｃから出力する符号データを多重化して多重ストリームを出力する符号化装置である。４つの符号化装置２０ａ、２０ｂ、２０ｃ、２０ｄは、バス１によって接続されている。
【００１５】
次に、図２を参照して、図１に示す符号化装置２０の構成と動作を説明する。図２は、図１に示す符号化装置２０（符号化装置２０ａ、２０ｂ、２０ｃ、２０ｄ）の構成を示すブロック図である。この図において、符号２１は、符号化装置２０の処理動作を統括して制御するＣＰＵである。符号２２は、入力した動画像を符号化する動画像符号化部である。符号２３は、動画像符号化部２２において符号化された（圧縮された）動画像ストリームを一時記憶するメモリである。符号２４は、入力した音声、付加データと、メモリ２３に記憶されている動画像ストリームとを多重化して多重ストリームを出力する多重化部である。符号２５は、他の符号化装置との間でバス１を介してデータの入出力を行うバス入出力部である。以下の説明において、特に説明をしない限り、符号化装置２０の構成は、図２に示す構成と同様である。
【００１６】
符号化装置２０は、入力した動画像を動画像符号化部２２において圧縮し、メモリ２３に書き込むか、バス入出力部２５を介してバス１に出力する。動画像の圧縮されたデータ（動画像ストリーム）はメモリ２３から読み出され、入力した音声ストリームおよび付加データストリームと多重化部２４で多重化され、多重ストリームとして出力される。バス制御をはじめ符号化装置２０内の制御については符号化装置２０に内蔵されたＣＰＵ２１により行う。
【００１７】
次に、図１を参照して、図１に示す多重化装置１０の動作を説明する。図１に示す多重化装置１０は、並列符号化が可能な多重化装置である。音声ストリーム、付加データストリームは動画像ストリームに対して１つの符号化装置２０で多重化可能であるが、８Ｋ映像等の大画面対応では、図１に示すように複数の符号化装置２０ａ、２０ｂ、２０ｃ、２０ｄをバス１によって接続し、どの符号化装置で多重化を行うかのコンフィギュレーションを符号化装置２０内のＣＰＵ２１が行うことで、単一の多重化装置１０として構成され、各符号化装置２０ａ、２０ｂ、２０ｃ、２０ｄは並列動作する。
【００１８】
符号化装置２０ａに入力した動画像は、符号化装置２０ａにおいて符号化されて、バス１を介して符号化装置２０ｄへ出力されることになる。また、符号化装置２０ｂに入力した動画像は、符号化装置２０ｂにおいて符号化されて、バス１を介して符号化装置２０ｄへ出力されることになる。符号化装置２０ｃに入力した動画像は、符号化装置２０ｃにおいて符号化されて、バス１を介して符号化装置２０ｄへ出力されることになる。符号化装置２０ｄは、入力した動画像を符号化して、３つの符号化装置２０ａ、２０ｂ、２０ｃから出力する動画像ストリームと、音声ストリーム、付加データストリームとを多重化して多重ストリームとして出力する。
【００１９】
図１に示す例ではバス１の帯域が十分大きければ、４つの符号化装置２０ａ、２０ｂ、２０ｃ、２０ｄが並列に、符号化処理を行い、別々のメモリ領域に書き込み、読み出して多重化装置１０として多重化ストリーム出力を行うことができる。
【００２０】
これに対して従来構成（デイジーチェーン接続の構成）では各符号化装置を順にストリームが通過していくので、通過に時間がかかり遅延時間となる。
【００２１】
図１に示す構成では各符号化装置２０ａ、２０ｂ、２０ｃ、２０ｄがバス１を介して１つの符号化装置（ここでは、符号化装置２０ｄ）のメモリ２３に直接書きこむのでバス１およびストリーム出力の帯域およびメモリ容量があれば各符号化装置２０ａ、２０ｂ、２０ｃ、２０ｄが並列に動作が可能で、従来構成に比べて遅延時間を短縮でき、低遅延化を図ることができる。
【００２２】
このように、多重化装置１０の多重出力インターフェースが充分広帯域なら従来の４倍の多重ストリーム出力が可能である。多重出力インターフェースが広帯域でない場合は以下の通り多重化装置を構成すればよい。図３は、符号化された動画像ストリームの配信容量は入力される動画像の複雑度などにより変動する例を示す図である。図３に示すように４つの符号化装置２０ａ、２０ｂ、２０ｃ、２０ｄによって符号化された動画像ストリームの配信容量は入力される動画像の複雑度などにより変動する。前述した例では、符号化装置２０ｄに全動画像ストリームを集めてから多重化するので、変動する符号化レートに対応して、符号化レートが高い入力動画像には配信容量を多く、符号化レートが低い入力動画像には少なく割り当てて、多重化することで復号された時の画像品質を向上することができる。
【００２３】
＜第２実施形態＞
次に、本発明の第２実施形態による多重化装置を説明する。図４は同実施形態の構成を示すブロック図である。第２実施形態による多重化装置１０は、複数種類の多重化フォーマットを出力するものである。
【００２４】
図４に示す例では、４つの符号化装置２０ａ、２０ｅ、２０ｆ、２０ｇが並列に、符号化処理を行い、別々のメモリ２３に書き込み、読み出しているが、符号化装置のＣＰＵが多重化フォーマットの変換をすることにより、複数の多重化フォーマットを同時に出力可能である。
【００２５】
例えば、同じ動画像ストリームを符号化装置２０ｆからＭＰＥＧ２−ＴＳフォーマット（多重ストリーム（ＴＳ））で出力すると同時に符号化装置２０ｇではＣＰＵ２１で多重化フォーマットの変換を実施して多重ストリーム（ＭＭＴ）を出力している。逆に、同じ動画像ストリームを符号化装置２０ｇから多重ストリーム（ＭＭＴ）で出力すると同時に符号化装置２０ｆではＣＰＵ２１で多重化フォーマットの変換を実施してＭＰＥＧ２−ＴＳフォーマット（多重ストリーム（ＴＳ））を出力する。
【００２６】
＜第３実施形態＞
次に、本発明の第３実施形態による多重化装置を説明する。図５は同実施形態の構成を示すブロック図である。第３実施形態による多重化装置１０は、スケーラブル符号化の多重ストリームを出力するものである。
【００２７】
図５に示す例では、Ｂａｓｅ  Ｌａｙｅｒ  ８ｋ  ６０ｐ、Ｅｎｈａｎｃｅ  Ｌａｙｅｒ  ８ｋ  １２０ｐのようなスケーラブル符号化の多重ストリーム出力をそれぞれの符号化装置２０ｈ、２０ｉで行い、Ｂａｓｅ  Ｌａｙｅｒ  ８ｋ  ６０ｐの動画像はＢａｓｅ  Ｌａｙｅｒ  ＴＳの多重ストリームとして放送向けに出力し、Ｅｎｈａｎｃｅ  Ｌａｙｅｒ  ８ｋ  １２０ｐはＥｎｈａｎｃｅ  Ｌａｙｅｒ  ＭＭＴとしてインターネット向けに出力することが可能である。
【００２８】
図５に示す例では、符号化装置２０ｈでＢａｓｅ  Ｌａｙｅｒ  ＴＳの多重ストリームを出力し、符号化装置２０ｉでＣＰＵ２１によってＥｎｈａｎｃｅ  Ｌａｙｅｒ  ＭＭＴの生成処理を行ない出力する。このように複数の符号化装置２０ｈ、２０ｉを組み合わせることで、このような処理を行うことも可能である。
【００２９】
＜第４実施形態＞
次に、本発明の第４実施形態による多重化装置を説明する。第４実施形態による多重化装置１０の構成は図１に示す構成を同様である。第４実施形態による多重化装置１０は、まだら放送に対応した多重ストリームを出力するものである。
【００３０】
放送の編成の都合で  ４Ｋ放送から８Ｋ放送、または８Ｋ放送から４Ｋ放送の変更がある場合（このような放送をまだら放送という）に４Ｋ配信時は１つの符号化装置２０ｄで符号化、多重化を実施し、８Ｋ配信時は４つの符号化装置２０ａ、２０ｂ、２０ｃ、２０ｄで符号化し１つの符号化装置２０ｄで多重化を実施する。
【００３１】
この動作を図６を参照して説明する。図６は、まだら放送時の配信動作を示すフローチャートである。まず、番組情報を受信すると（ステップＳ１）、８Ｋ放送であるか否かを判定する（ステップＳ２）。この判定の結果、８Ｋ放送のときは４つの符号化装置２０ａ、２０ｂ、２０ｃ、２０ｄで配信を行い（ステップＳ３）、４Ｋ放送のときは符号化装置２０ｄのみで配信する（ステップＳ４）。そして、番組が終了したら（ステップＳ５）、ステップＳ１に戻って処理を繰り返す。
【００３２】
図７は、図６に示す処理動作によって配信された配信容量の時系列的変化の例を示す図である。図７に示すように、配信容量を切り替える必要があってもこの切り替えをコンフィギュレーションにより短時間で行うことが可能となる。
【００３３】
なお、図６に示すステップＳ２では、４Ｋ放送であるか否かを判定し、４Ｋ放送の場合は、１つの符号化装置のみで配信を行い、４Ｋ放送でない（８Ｋ放送である）場合は、４つの符号化装置によって配信を行うようにしてもよい。
【００３４】
＜第５実施形態＞
次に、本発明の第５実施形態による多重化装置を説明する。図８は同実施形態の構成を示すブロック図である。第５実施形態による多重化装置１０は、アダプティブレートでのストリームを出力するものである。
【００３５】
ＭＰＥＧ−ＤＡＳＨのようなアダプティブレートでの符号化では、同一の動画ストリームに対して複数レートでの符号化が必要になる。図８に示す例では同一の動画像を符号化装置２０ｊ、２０ｋ、２０ｍそれぞれの動画像符号化部２２に入力に対して複数レートの符号化を並列に行うことができる。また、１台の符号化装置（例えば、符号化装置２０ｊ）で符号化しきれない動画像入力はバス接続により複数の符号化装置（例えば、符号化装置２０ｋ、２０ｍ）を組み合わせて符号化することも可能である。
【００３６】
次に、図９を参照して、アダプティブレートでの配信動作を説明する。図９は、アダプティブレートでの配信動作を示すフローチャートである。まず、変数ｉに０をセットし（ステップＳ１１）、多重化装置１０に動画像ストリームを入力する（ステップＳ１２）。
【００３７】
次に、変数ｉを１増加させて（ステップＳ１３）、ｉ番目の符号化装置（例えば、符号化装置２０ｊ）のＣＰＵ２１によって符号化中の帯域総量などにより受付可能か判定する（ステップＳ１４）。受付不可の場合は、さらに変数ｉを１増加させ、ｉ番目の符号化装置（例えば、符号化装置２０ｋ）のＣＰＵ２１が対応可能か順次判定する。
【００３８】
一方、受付可能と判定された場合はｉ番目の符号化装置で符号化を行い配信する（ステップＳ１５）。そして、ｉ番目の符号化装置だけで配信容量的に配信可能かｉ番目の符号化装置のＣＰＵ２１で判定を行う（ステップＳ１６）。
【００３９】
この判定の結果、配信可能な場合はステップＳ１２に戻って動画像ストリームを入力して、次の動画入力の配信判定を行い、配信不可の場合は次の配信可能な符号化装置を探し配信する。この方法によって大容量のアダプティブレートでの多重化ストリーム出力が可能になる。
【００４０】
先述した第２〜第５実施形態のようなＭＭＴおよびＭＰＥＧ−ＤＡＳＨのような新フォーマットに対応する場合、当初はＣＰＵ２１のファームウェアによるフォーマット変換が必要となる。ＣＰＵ２１とのデータのやり取りに関してはバス接続が優位である。単一装置のＣＰＵ２１の処理が不足した場合でも他の装置のＣＰＵ２１を使用することで処理力を向上ができる。すなわち、拡張性の点において優れている。
【００４１】
＜第６実施形態＞
次に、本発明の第６実施形態による多重化装置を説明する。図１０は同実施形態の構成を示すブロック図である。第６実施形態による多重化装置１０は、故障時に符号化装置の切り替えが可能な多重化装置である。
【００４２】
複数の符号化装置２０ｎ、２０ｐ、２０ｑ、２０ｒにより構成される多重化装置１０において、図１０に示すように符号化装置２０ｑのメモリ２３または多重化部２４に故障が発生した場合、符号化装置２０ｑのＣＰＵ２１のファームウェアなどによりバスを切り替え、符号化装置２０ｒのＣＰＵ２１に通知して符号化装置２０ｒから多重化ストリームを出力する。ＣＰＵ２１自体が故障した場合でも通知を他のＣＰＵ２１にすることで、切り替え可能である。
【００４３】
また、符号化装置２０ｒのメモリ２３、多重化部２４、ＣＰＵ２１にさらに故障が発生しても符号化装置２０ｎに切り替え可能、符号化装置２０ｎが故障しても符号化装置２０ｐに切り替えられる。
【００４４】
この構成を有する多重化装置１０はメモリ２３、多重化部２４およびＣＰＵ２１の３重故障発生時でも多重化ストリームを出力しつづけることができる。
【００４５】
従来構成（デイジーチェーン接続の構成）では構成が固定化しているので符号化装置故障が発生した場合の対処が困難である。これに対して、第６実施形態の構成では符号化装置の一部が故障した場合、例えばストリーム出力しているマスターとなっている符号化装置のメモリ２３に故障が発生した場合、ファームウェア等により短期間で別の装置をマスターに切り替えてストリーム出力することが可能である。すなわち、信頼性の点で優れている。
【００４６】
＜第７実施形態＞
次に、本発明の第７実施形態による多重化装置を説明する。図１１は同実施形態の構成を示すブロック図である。第７実施形態による多重化装置１０は、電源またはクロック供給停止による低消費電力化が可能な多重化装置である。
【００４７】
ＬＳＩ化による大量生産を考えると符号化装置ごとに違う機能を持ったものを製造するより、同一機能を有するものを製造する方が容易である。第７実施形態の多重化装置１０は、図１１に示すように、符号化装置２０ｓ、２０ｔ、２０ｖのメモリ２３および多重化部２４を使用していないことを符号化装置２０ｓ、２０ｔ、２０ｖのＣＰＵ２１で判定して電源またはクロック供給を停止することで低消費電力化を図る。
【００４８】
故障切り替えにより停止中のブロックの起動もこの符号化装置のＣＰＵ２１により行うことが可能である。
【００４９】
このように、符号化装置を並列動作可能な構成では使用していないメモリ２３および多重化部２４に対する電源またはクロック供給を停止することで低消費電力化を図ることができる。
【００５０】
以上説明したように、各種ストリームを多重化する多重化部を有する複数の符号化装置をバス接続により結合し、これらの符号化装置の出力である多重化ストリームを少なくとも一つの符号化装置で多重化することにより、従来のデイジーチェーン接続による多重化で問題となっていた遅延等の問題を解決することができる。
【００５１】
この構成によれば、複数の符号化装置をバスで接続し、かつ、各符号化装置に多重化部を設けることで、並列動作が可能になり、低遅延で、拡張性及び信頼性が高く、低消費電力化を図ることができる多重化装置を提供することができる。
【００５２】
前述した実施形態における多重化装置をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００５３】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００５４】
低遅延化でき、拡張性及び信頼性を高くすることができるともに、低消費電力化を図ることが不可欠な用途に適用できる。
【符号の説明】
【００５５】
１・・・バス、１０・・・多重化装置、２０、２０ａ、２０ｂ、２０ｃ、２０ｄ、２０ｅ、２０ｆ、２０ｇ、２０ｈ、２０ｉ、２０ｊ、２０ｋ、２０ｍ、２０ｎ、２０ｐ、２０ｑ、２０ｒ、２０ｓ、２０ｔ、２０ｕ、２０ｖ・・・符号化装置、２１・・・ＣＰＵ、２２・・・動画像符号化部、２３・・・メモリ、２４・・・多重化部、２５・・・バス入出力部
【図１】
2016025534.tif 000003
【図２】
2016025534.tif 000004
【図３】
2016025534.tif 000005
【図４】
2016025534.tif 000006
【図５】
2016025534.tif 000007
【図６】
2016025534.tif 000008
【図７】
2016025534.tif 000009
【図８】
2016025534.tif 000010
【図９】
2016025534.tif 000011
【図１０】
2016025534.tif 000012
【図１１】
2016025534.tif 000013
【図１２】
2016025534.tif 000014